(57)【要約】      （修正有）【課題】ＬＥＤ照明器具を使用し、ガソリンスタンドなどの高天井に好適に取付けることができる照明装置を提供する。【解決手段】照明装置は、アルミ製のフレームで構成された筐体からなる装置本体２と、装置本体２の上部に設けられた天板３と、天板３の中央部に取り付け金具４よって取り付けられたＬＥＤ照明器具５と、装置本体の側面にそれぞれ取付けられた耐熱ガラス６と、装置本体２の下部にビスによって取付けられ、ＬＥＤ照明器具５の落下を防止する一対の落下防止用金具８とから構成され、ガソリンスタンドなどの高天井９に天板３を介してボルト１０によって固定され、電気ケーブル１１からの給電によってＬＥＤ照明器具５が駆動されて発光し、装置本体２の下部開放面および側面の耐熱ガラス６から放光する。【選択図】図２
0003152310.tif 000002
【実用新案登録請求の範囲】
【請求項１】
天井用の照明装置であって、箱形の金属フレームの上部に天井取付け部材及び照明器具接続部を有し、側面にはそれぞれ透光性部材が配設され、前記照明器具接続部にＬＥＤ照明器具を取付け前記金属フレームの下部方向を光照射すると共に、該金属フレーム下部の前記ＬＥＤ照明器具と対向する位置に所定幅の照明器具の落下防止用金具を配置し、且つ該金具の少なくとも上面に光反射部を設けたことを特徴とする照明装置。
【請求項２】
前記天井は、ガソリンスタンドの建屋用の天井であることを特徴とする請求項１記載の照明装置。
【考案の詳細な説明】
【技術分野】
【０００１】
本考案は、照明装置であって、とくにガソリンスタンドなどの高天井に使用される照明装置に関するものである。
【背景技術】
【０００２】
従来よりガソリンスタンドなどの高天井においては、高圧放電ランプを光源に使用した筐体からなる照明装置が数多く使用されている（例えば特許文献１参照。）。
【０００３】
この高圧放電ランプは、メタルハライドランプなどの消費電力の大きく、また発熱量が大きなものであり、近年消費電力の小さなＬＥＤを使用する照明器具が注目され、炭酸ガスの排出量の削減と、経費削減を兼ねたものとして注目されている。
【先行技術文献】
【特許文献】
【０００４】
【特許文献１】特表２００７−５０２５１７号公報
【考案の概要】
【考案が解決しようとする課題】
【０００５】
しかしながら、上述したＬＥＤを使用する照明器具は一般に、光指向性が強く、ガソリンスタンドの天井に取り付けて光照射すると、光照射方向である床面は、非常に明るくなるものの、反対に照明器具の周囲である天上面は暗くなるという、問題があった。また、ＬＥＤ照明器具のタンプは単価が高く、天井に取り付けの際や、使用中の落下による破損事故は経済的に避けたいものであった。
【０００６】
上記の問題点に鑑み本考案者は、照明器具にＬＥＤを使用し、ガソリンスタンドなどの高天井に好適に使用できる照明装置を提供するに至った。
【課題を解決するための手段】
【０００７】
このため、本考案の照明装置は、箱形の金属フレームの上部に天井取付け部材及び照明器具接続部を有し、側面にはそれぞれ透光性部材が配設され、前記照明器具接続部にＬＥＤ照明器具を取付け前記金属フレームの下部方向を光照射すると共に、該金属フレーム下部の前記ＬＥＤ照明器具と対向する位置に所定幅の照明器具落下防止用金具を配置し、且つ該金具の少なくとも上面に光反射部を設けたことを特徴とする。
【０００８】
また、前記天井は、ガソリンスタンドの建屋用の天井であることを特徴とする。
【０００９】
上記透光性部材は耐熱性ガラスが使用され、その上部には放熱用の空隙が設けられることが望ましい。
【考案の効果】
【００１０】
本考案に係る照明装置によれば、箱形の金属フレームの上部に天井取付け部材及び照明器具接続部を有し、側面にはそれぞれ透光性部材が配設され、前記照明器具接続部にＬＥＤ照明器具を取付け前記金属フレームの下部方向を光照射すると共に、該金属フレーム下部の前記ＬＥＤ照明器具と対向する位置に所定幅の照明器具の落下防止用金具を配置しため、ガソリンスタンドなどの高天井であっても、ＬＥＤ照明器具を安全に取り付けて使用することができるという効果を有する。
【００１１】
また、上記落下防止用金具の少なくとも上面に光反射部を設けたため、この光反射部によってＬＥＤ照明器具からの光を反射し、透光性部材を介して照射されるため、照明器具の周囲である天井面も明るくなるという効果を有する。
【図面の簡単な説明】
【００１２】
【図１】本考案に係る照明装置の一実施例を示す正面図である。
【図２】図１の底面図である。
【図３】落下防止用金具の説明図である。
【考案を実施するための最良の形態】
【００１３】
以下、本考案を実施例を示す図面を参照しながら説明するが、本考案が本実施例に限定されないことは言うまでもない。図１は、本考案の照明装置の一実施例を示す正面図、図２は図１の底面図、図３は落下防止用金具の説明図である。
【実施例】
【００１４】
図１、図２に示すように、本考案の照明装置１は、アルミ製のフレームで構成された筐体からなる装置本体２と、装置本体２の上部に設けられた天板３と、天板３の中央部に取り付け金具４よって取り付けられたＬＥＤ照明器具５と、装置本体４の側面にそれぞれ取付けられた耐熱ガラス６と、装置本体２の下部にビス７によって取付けられ、ＬＥＤ照明器具５の落下を防止する一対の落下防止用金具８とから構成され、ガソリンスタンドなどの高天井９に天板３を介してボルト１０によって固定され、電気ケーブル１１からの給電によってＬＥＤ照明器具５が駆動されて発光し、装置本体２の下部開放面１２および側面の耐熱ガラス６から放光する。
【００１５】
装置本体２の側面には、耐熱ガラス６の上方に放熱用の通気窓１３が設けられ、ＬＥＤ照明器具５から発生する熱を放熱可能とし、ＬＥＤ素子（図示せず）の劣化を防止する。
【００１６】
図３は落下防止用金具８の拡大説明図であり、図３（ａ）は正面図、図３（ｂ）は側面図である。図に示すように落下防止金具８は側面視コの字形状に形成されたアルミ板材からなり、装置本体２の下部のアルミフレームに所定の間隔を空けてビス７によって平行に取付けられており、ＬＥＤ照明器具５の万一の落下を防止する。
【００１７】
また、落下防止用金具８の表面は、高純度のチタン及びシリコンをコーティングし反射率が９０％以上とされたものであり、ＬＥＤ照明器具５が発する光を反射して、上述した耐熱ガラス６や通気窓１３を通して照明器具１の周囲である天井面を間接光によって照射する。
【００１８】
上記の構成からなる、本考案の照明装置は、ガソリンスタンドなどの高天井に天板を介して固定され、電気ケーブルからの給電によってＬＥＤ照明器具が駆動されて発光し、ガソリンスタンド内を照明すると共に、ガソリンスタンドの建屋用の天井面を落下防止用金具の光反射部によって間接照明することができる。尚、本実施例において落下防止用金具は、表面に光反射部を形成したアルミ板を使用したが、本考案はこれに限定されず光を反射或いは散乱可能な材料を選択して使用される。
【００１９】
以上、本考案の照明装置によれば、ＬＥＤ照明器具を使用して安全にガソリンスタンドの高天井用の照明装置として使用することができると共に、ＬＥＤ照明器具の指向性を補う光反射部によって、天井面の間接照明を行なうことができる。
【符号の説明】
【００２０】
１              照明装置
２              装置本体
３              取付部
４              ボルト
５              放熱板
６              ＬＥＤ基板
７              開放面
８              反射板
９              電源装置
１０              ＬＥＤ
１１              放熱フィン
１２              絶縁基板
１３              縁部
【図１】
0003152310.tif 000003
【図２】
0003152310.tif 000004
【図３】
0003152310.tif 000005